(57)【特許請求の範囲】
【請求項１】
サーバ装置により、携帯通信装置を所持するとともに端末装置を使用して前記サーバ装置にアクセスしている利用者に対してサービスを提供するサービス提供システムであって、
前記サーバ装置に設けられ、前記端末装置を識別する端末識別情報を前記端末装置から前記携帯通信装置に読み取り可能とする読取用情報を前記端末装置に送付する読取用情報送付手段と、
前記携帯通信装置に設けられ、前記端末装置に送付された前記読取用情報から前記端末識別情報を読み取る読取手段と、
前記携帯通信装置に設けられ、前記読取手段により読み取られた前記端末識別情報を前記サーバ装置へ送付する端末識別情報送付手段と、
前記サーバ装置に設けられ、前記端末識別情報を送付した前記携帯通信装置とその送付された端末識別情報により識別される端末装置とを関係づけて、これら関係づけられた前記携帯通信装置および前記端末装置の双方を利用したサービスを前記利用者に提供する提供手段とを具備することを特徴とするサービス提供システム。
【請求項２】
前記携帯通信装置に設けられ、コンテンツデータを記憶する記憶手段と、
前記携帯通信装置に設けられ、前記サーバ装置からの要求に応じて前記サーバ装置へ前記コンテンツデータを送信するコンテンツ送信手段とをさらに具備し、
かつ前記提供手段は、前記携帯通信装置に対してコンテンツデータの送信を要求するとともに、これに応じて前記携帯通信装置から送信された前記コンテンツデータを、その送信元の携帯通信装置に関係づけられた前記端末装置へ転送することを特徴とする請求項１に記載のサービス提供システム。
【請求項３】
前記提供手段は、前記携帯通信装置から送信された前記コンテンツデータを、その送信元の携帯通信装置に関係づけられた前記端末装置におけるコンテンツ表示能力に応じて変換する変換手段をさらに備え、
前記コンテンツ転送手段は、前記変換手段により変換されたコンテンツデータを転送することを特徴とする請求項２に記載のサービス提供システム。
【請求項４】
多者間通信サービスシステムが提供するサービスを前記多者間通信サービスシステムに接続されていない端末装置にて利用可能とするものであって、
前記携帯通信装置に設けられ、前記多者間通信サービスシステムを介して伝送するコンテンツデータを前記サーバ装置へ送信するコンテンツ送信手段をさらに備え、
かつ前記提供手段は、前記携帯通信装置から送信された前記コンテンツデータを、その送信元の携帯通信装置に関係づけられた前記端末装置に関するコンテンツデータとして前記多者間通信サービスシステムへ転送するとともに、前記多者間通信サービスシステムから送出されたコンテンツデータを前記端末装置に転送することを特徴とする請求項１に記載のサービス提供システム。
【請求項５】
前記端末識別情報として、前記サーバ装置と前記端末装置とのセッションを識別するセッション識別情報を使用することを特徴とする請求項１に記載のサービス提供システム。
【請求項６】
前記読取用情報は、前記サーバ装置のアドレスを表すアドレス情報を含み、
前記読取手段は、前記端末装置に送付された前記読取用情報から前記アドレス情報を読み取り、
前記端末識別情報送付手段は、読み取られた前記アドレス情報が表すアドレスを使用して前記端末識別情報を前記サーバ装置へ送付することを特徴とする請求項１に記載のサービス提供システム。
【請求項７】
前記携帯通信装置に設けられ、使用者を認証する手段をさらに備え、
前記端末識別情報送付手段は、前記使用者の認証に成功した場合に限って前記端末識別情報を前記サーバ装置に送付することを特徴とする請求項１に記載のサービス提供システム。
【請求項８】
前記読取用情報の経時的な有効性を判断するための時間情報を前記読取用情報に含み、
前記読取手段は、前記端末装置に送付された前記読取用情報から前記時間情報を読み取り、
前記端末識別情報送付手段は、読み取られた前記時間情報を前記端末識別情報とともに前記サーバ装置へ送付し、
さらに前記サーバ装置に設けられ、前記時間情報に基づいて前記読取用情報が有効であると判断できない場合には、前記コンテンツ転送手段による前記コンテンツデータの転送を制限する制限手段をさらに備えることを特徴とする請求項１に記載のサービス提供システム。
【請求項９】
前記読取用情報を識別するための読取用情報識別情報を前記読取用情報に含み、
前記読取手段は、前記端末装置に送付された前記読取用情報から前記読取用情報識別情報を読み取り、
前記端末識別情報送付手段は、読み取られた前記読取用情報識別情報を前記端末識別情報とともに前記サーバ装置へ送付し、
前記サーバ装置に設けられ、前記端末識別情報とともに送付された前記読取用情報識別情報を記憶する識別情報記憶手段をさらに備え、
前記提供手段は、前記端末識別情報とともに送付された前記読取用情報識別情報が前記識別情報記憶手段に既に記憶されている場合には、当該端末識別情報を送付した前記携帯通信装置とその送付された端末識別情報により識別される端末装置とを利用したサービスの提供を行わないことを特徴とする請求項１に記載のサービス提供システム。
【請求項１０】
携帯通信装置を所持するとともに端末装置を使用する利用者に対してサービスを提供するサーバ装置であって、
前記携帯通信装置が、前記端末装置に前記サーバ装置から送付された読取用情報から端末識別情報を読み取る読取手段と、前記読取手段により読み取られた前記端末識別情報を前記サーバ装置へ送付する端末識別情報送付手段とを具備することを前提として、
前記端末装置を識別可能とする前記端末識別情報を前記端末装置から前記携帯通信装置に読み取り可能とする前記読取用情報を前記端末装置に送付する読取用情報送付手段と、
前記端末識別情報を送付した前記携帯通信装置とその送付された端末識別情報により識別される端末装置とを関係づけて、これら関係づけられた前記携帯通信装置および前記端末装置の双方を利用したサービスを前記利用者に提供する提供手段とを具備することを特徴とするサーバ装置。
【請求項１１】
前記携帯通信装置が、コンテンツデータを記憶する記憶手段と、前記サーバ装置からの要求に応じて前記サーバ装置へ前記コンテンツデータを送信するコンテンツ送信手段とをさらに具備することを前提として、
前記提供手段は、前記携帯通信装置に対してコンテンツデータの送信を要求するとともに、これに応じて前記携帯通信装置から送信された前記コンテンツデータを、その送信元の携帯通信装置に関係づけられた前記端末装置へ転送することを特徴とする請求項１０に記載のサーバ装置。
【請求項１２】
前記携帯通信装置が、多者間通信サービスシステムを介して伝送するコンテンツデータを前記サーバ装置へ送信するコンテンツ送信手段をさらに備えることを前提として、
前記提供手段は、前記携帯通信装置から送信された前記コンテンツデータを、その送信元の携帯通信装置に関係づけられた前記端末装置に関するコンテンツデータとして前記多者間通信サービスシステムへ転送するとともに、前記多者間通信サービスシステムから送出されたコンテンツデータを前記端末装置に転送することを特徴とする請求項１０に記載のサーバ装置。
【請求項１３】
サーバ装置により、端末装置を使用して前記サーバ装置にアクセスしている利用者に対してサービスを提供するサービス提供システムで前記利用者に所持された使用される携帯通信装置であって、
前記サーバ装置が、前記端末装置を識別する端末識別情報を前記端末装置から前記携帯通信装置に読み取り可能とする読取用情報を前記端末装置に送付する読取用情報送付手段と、前記サーバ装置へ前記端末識別情報を送付した前記携帯通信装置とその送付された端末識別情報により識別される端末装置とを関係づけて、これら関係づけられた前記携帯通信装置および前記端末装置の双方を利用したサービスを前記利用者に提供する提供手段とを具備することを前提として、
前記端末装置に送付された前記読取用情報から前記端末識別情報を読み取る読取手段と、
前記読取手段により読み取られた前記端末識別情報を前記サーバ装置へ送付する端末識別情報送付手段とを具備することを特徴とする通信端末装置。
【請求項１４】
前記提供手段が、前記携帯通信装置に対してコンテンツデータの送信を要求するとともに、これに応じて前記携帯通信装置から送信された前記コンテンツデータを、その送信元の携帯通信装置に関係づけられた前記端末装置へ転送することを前提として、
コンテンツデータを記憶する記憶手段と、
前記サーバ装置からの要求に応じて前記サーバ装置へ前記コンテンツデータを送信するコンテンツ送信手段とをさらに具備することを特徴とする請求項１３に記載の携帯通信装置。
【請求項１５】
前記提供手段が、前記携帯通信装置から送信された前記コンテンツデータを、その送信元の携帯通信装置に関係づけられた前記端末装置に関するコンテンツデータとして多者間通信サービスシステムへ転送するとともに、前記多者間通信サービスシステムから送出されたコンテンツデータを前記端末装置に転送することを前提として、
前記多者間通信サービスシステムを介して伝送するコンテンツデータを前記サーバ装置へ送信するコンテンツ送信手段をさらに備えたことを特徴とする請求項１３に記載の携帯通信装置。
【請求項１６】
携帯通信装置を所持するとともに端末装置を使用する利用者に対してサービスを提供するサーバ装置としてコンピュータを動作させるプログラムであって、
前記携帯通信装置が、前記端末装置に前記サーバ装置から送付された読取用情報から端末識別情報を読み取る読取手段と、前記読取手段により読み取られた前記端末識別情報を前記サーバ装置へ送付する端末識別情報送付手段とを具備することを前提として、
前記コンピュータを、前記端末装置を識別可能とする前記端末識別情報を前記端末装置から前記携帯通信装置に読み取り可能とする前記読取用情報を前記端末装置に送付する読取用情報送付手段と、
前記端末識別情報を送付した前記携帯通信装置とその送付された端末識別情報により識別される端末装置とを関係づけて、これら関係づけられた前記携帯通信装置および前記端末装置の双方を利用したサービスを前記利用者に提供する提供手段として機能させることを特徴とするプログラム。
【請求項１７】
前記携帯通信装置が、コンテンツデータを記憶する記憶手段と、前記サーバ装置からの要求に応じて前記サーバ装置へ前記コンテンツデータを送信するコンテンツ送信手段とをさらに具備することを前提として、
前記提供手段を、前記携帯通信装置に対してコンテンツデータの送信を要求するとともに、これに応じて前記携帯通信装置から送信された前記コンテンツデータを、その送信元の携帯通信装置に関係づけられた前記端末装置へ転送するように機能させることを特徴とする請求項１６に記載のプログラム。
【請求項１８】
前記携帯通信装置が、多者間通信サービスシステムを介して伝送するコンテンツデータを前記サーバ装置へ送信するコンテンツ送信手段をさらに備えることを前提として、
前記提供手段を、前記携帯通信装置から送信された前記コンテンツデータを、その送信元の携帯通信装置に関係づけられた前記端末装置に関するコンテンツデータとして前記多者間通信サービスシステムへ転送するとともに、前記多者間通信サービスシステムから送出されたコンテンツデータを前記端末装置に転送するように機能させることを特徴とする請求項１６に記載のプログラム。
【請求項１９】
サーバ装置により、端末装置を使用して前記サーバ装置にアクセスしている利用者に対してサービスを提供するサービス提供システムで前記利用者に所持された使用される携帯通信装置の動作を制御するコンピュータ用のプログラムであって、
前記サーバ装置が、前記端末装置を識別する端末識別情報を前記端末装置から前記携帯通信装置に読み取り可能とする読取用情報を前記端末装置に送付する読取用情報送付手段と、前記サーバ装置へ前記端末識別情報を送付した前記携帯通信装置とその送付された端末識別情報により識別される端末装置とを関係づけて、これら関係づけられた前記携帯通信装置および前記端末装置の双方を利用したサービスを前記利用者に提供する提供手段とを具備することを前提として、
前記コンピュータを、
前記端末装置に送付された前記読取用情報から前記端末識別情報を読み取る読取手段と、
前記読取手段により読み取られた前記端末識別情報を前記サーバ装置へ送付する端末識別情報送付手段として機能させることを特徴とするプログラム。
【請求項２０】
前記提供手段が、前記携帯通信装置に対してコンテンツデータの送信を要求する要求手段と、前記携帯通信装置から送信された前記コンテンツデータを、その送信元の携帯通信装置に関係づけられた前記端末装置へ転送するコンテンツ転送手段とを具備するとともに、
前記携帯通信装置がコンテンツデータを記憶する記憶手段を備えることを前提として、
前記コンピュータを、前記サーバ装置からの要求に応じて前記サーバ装置へ前記コンテンツデータを送信するコンテンツ送信手段としてさらに機能させることを特徴とする請求項１９に記載のプログラム。
【請求項２１】
前記提供手段が、前記携帯通信装置から送信された前記コンテンツデータを、その送信元の携帯通信装置に関係づけられた前記端末装置に関するコンテンツデータとして多者間通信サービスシステムへ転送するとともに、前記多者間通信サービスシステムから送出されたコンテンツデータを前記端末装置に転送することを前提として、
前記コンピュータを、前記多者間通信サービスシステムを介して伝送するコンテンツデータを前記サーバ装置へ送信するコンテンツ送信手段としてさらに機能させることを特徴とする請求項１９に記載のプログラム。
【発明の詳細な説明】
【技術分野】
【０００１】
本発明は、端末装置に対し、情報閲覧サービスや多者間通信サービスシステムが提供するサービスを提供するサービス提供システムと、このサービス提供システムで使用されるサーバ装置および携帯通信装置と、これらの装置のためのプログラムに関する。
【背景技術】
【０００２】
携帯電話装置に記憶されたメイル、スケジュール、あるいは写真等のコンテンツの閲覧には、携帯電話装置に内蔵された表示器を使用することが一般的である。しかしながら、携帯電話装置に内蔵された表示器の表示画面は小さいため、この表示画面より大きなコンテンツの閲覧に当たっては、画面スクロールやコンテンツの縮小加工の利用を余儀なくされる。
【０００３】
そこで、コンテンツデータを携帯電話装置からパーソナルコンピュータに転送して、より大きな表示画面を持つ表示器でコンテンツを表示することも行われている。しかしながら、携帯電話装置とパーソナルコンピュータとをケーブルで接続した上で、必要に応じて専用ソフトなどを使用しながら、コンテンツデータの転送およびコンテンツの表示を行わなければならず、面倒であった。
【０００４】
また、携帯電話にはＴＶ電話機能に用いられている音声および映像を取得する機能がある。携帯電話におけるＴＶ電話では、画面の大きさなどから、携帯電話上で閲覧可能な画像内容としては話し相手一人のものが限界である。また、パーソナルコンピューター上でビデオ会議サービスの様な映像・音声を利用する多者間通信サービスを利用する場合、パーソナルコンピューター以外にカメラ装置、マイク装置等の専用器材を準備する必要があった。
【０００５】
特許文献１に開示された会議支援プログラムでは、電話によるビデオ会議への参加方法が示されているが、電話またはＩＰ電話のみを持つ利用者を対象としたものである。
【特許文献１】特開２００５−２６０８００
【発明の開示】
【発明が解決しようとする課題】
【０００６】
以上のように従来は、携帯電話装置のような携帯通信装置に記憶されたコンテンツを携帯通信装置とは異なる装置を利用して大きな画面により閲覧するためには、ケーブルなどのツールと、面倒な作業とが必要であった。
【０００７】
またビデオ会議サービスの様な映像・音声を利用する多者間通信サービスでは、会議出席者の識別が可能な比較的大きな画像表示装置と画像・音声取得装置とを準備する必要があるため、携帯電話の表示画面では十分な画像表示サイズを確保できない。これをパーソナルコンピューター上で実現する場合には、画像・音声取得装置を別途準備するか、その機能が組み込まれたパーソナルコンピューターを利用する必要があった。
【０００８】
本発明はこのような事情を考慮してなされたものであり、その目的とするところは、利用者が使用する端末装置と、この利用者が所持する携帯通信装置とを利用することにより、例えば携帯通信装置に記憶されたコンテンツをこの携帯通信装置とは異なる端末装置で容易に閲覧することを可能としたり、多者間通信サービスを携帯通信装置を利用しつつ大きな画面による画像確認を可能とするといった新しいサービスを提供可能とすることにある。
【課題を解決するための手段】
【０００９】
以上の目的を達成するために本発明は、サーバ装置により、携帯通信装置を所持するとともに端末装置を使用して前記サーバ装置にアクセスしている利用者に対してサービスを提供するサービス提供システムのおける前記サーバ装置および前記携帯通信装置を、それぞれ次のように構成した。
【００１０】
サーバ装置には、前記端末装置を識別可能とする端末識別情報を前記端末装置から前記携帯通信装置に読み取り可能とする読取用情報を前記端末装置に送付する読取用情報送付手段と、
前記端末識別情報を送付した前記携帯通信装置とその送付された端末識別情報により識別される端末装置とを関係づけて、これら関係づけられた前記携帯通信装置および前記端末装置の双方を利用したサービスを前記利用者に提供する提供手段とを備えた。
【００１１】
携帯通信装置には、前記端末装置に送付された前記読取用情報から前記端末識別情報を読み取る読取手段と、前記読取手段により読み取られた前記端末識別情報を前記サーバ装置へ送付する端末識別情報送付手段とを備えた。
【００１２】
また前記の目的を達成するために本発明は、携帯通信装置を所持するとともに端末装置を使用する利用者に対してサービスを提供するサーバ装置としてコンピュータを動作させるプログラムを、前記コンピュータを、前記端末装置を識別可能とする端末識別情報を前記端末装置から前記携帯通信装置に読み取り可能とする読取用情報を前記端末装置に送付する読取用情報送付手段と、前記端末識別情報を送付した前記携帯通信装置とその送付された端末識別情報により識別される端末装置とを関係づけて、これら関係づけられた前記携帯通信装置および前記端末装置の双方を利用したサービスを前記利用者に提供する提供手段として機能させるように構成した。
【００１３】
また、前記のサーバ装置により、端末装置を使用して前記サーバ装置にアクセスしている利用者に対してサービスを提供するサービス提供システムで前記利用者に所持された使用される携帯通信装置の動作を制御するコンピュータ用のプログラムを、前記コンピュータを、前記端末装置に送付された前記読取用情報から前記端末識別情報を読み取る読取手段と、前記読取手段により読み取られた前記端末識別情報を前記サーバ装置へ送付する端末識別情報送付手段として機能させるように構成した。
【発明の効果】
【００１４】
本発明によれば、利用者が使用する端末装置と、この利用者が所持する携帯通信装置とを利用する新しいサービスを提供可能となる。
【発明を実施するための最良の形態】
【００１５】
以下、図面を参照して本発明の実施形態について説明する。
【００１６】
（第１の実施形態）
図１は第１の実施形態に係るユーザー認証システムが適用されたサービス提供システムの概略構成を示すブロック図である。
【００１７】
この第１の実施形態に係るサービス提供システムは、サーバ装置１、端末装置２および携帯通信装置３を含む。これらサーバ装置１、端末装置２および携帯通信装置３は、コンピュータネットワーク４および移動通信網５を介して適宜に通信できる。コンピュータネットワーク４は、コンピュータどうしの通信を可能とするネットワークであれば如何なるものでも良いが、代表的にはインターネットである。移動通信網５は、携帯通信装置３の通信を可能とする通信網であれば如何なるものでも良いが、代表的にはＰＤＣ（personal digital cellular）網やＣＤＭＡ（code-division multiple access）網である。なお、サーバ装置１、端末装置２および携帯通信装置３はそれぞれ、このサービス提供システムに複数が含まれ得る。
【００１８】
サーバ装置１は、利用者に対して端末装置２を介したサービス提供を行う。サーバ装置１は、例えば汎用のサーバ装置を基本ハードウェアとして利用することができ、ＣＰＵ１１、記憶部１２、時計部１３および通信処理部１４を含む。そしてＣＰＵ１１は、記憶部１２に記憶されたプログラムを実行することにより、周知のウェブサーバが備える周知の機能などを実現するための制御を行う。またＣＰＵ１１は、サービス提供用のプログラムを実行することにより、後述するサービス提供を行う。ここでサービス提供用のプログラムは、記憶部１２に予めインストールされても良いし、磁気ディスク、光磁気ディスク、光ディスク、半導体メモリなどのようなリムーバブルな記録媒体に記録して、あるいはネットワークを介して配布されたものが記憶部１２に適宜にインストールされても良い。記憶部１２は、上記のプログラムの他に、各種の情報を記憶する。記憶部１２としては、上記の汎用のサーバ装置に内蔵されたメモリやハードディスク装置などの記憶デバイス、上記の汎用のサーバ装置に外付けされたメモリやハードディスク装置などの記憶デバイス、さらには磁気ディスク、光磁気ディスク、光ディスクなどのようなリムーバブルな記録媒体などを適宜利用することができる。時計部１３は、常時計時を行っており、現在日時を表す時刻情報を出力する。通信処理部１４は、コンピュータネットワーク４を介したデータ通信のための処理を行う。
【００１９】
端末装置２は、ブラウザ２１および表示部２２を含む。ブラウザ２１は、コンピュータネットワーク４を介して提供される情報を閲覧するための処理を行う。表示部２２は、ブラウザ２１により作成された画面を表示する。この端末装置２は、典型的にはパーソナルコンピュータである。しかし、携帯通信装置やＰＤＡ（personal digital assistant）など、ブラウジング機能を備えた様々な装置が適用され得る。
【００２０】
携帯通信装置３は、ＣＰＵ３１、記憶部３２、カメラ部３３、通信処理部３４、表示部３５および操作部３６を含む。ＣＰＵ３１は、記憶部３２に記憶されたプログラムを実行することにより、周知の携帯通信装置が備える各種の周知の機能を実現するための制御を行う。またＣＰＵ３１は、記憶部３２に記憶されたサービス補助用のプログラムを実行することにより、サーバ装置１によるサービス提供を補助する。サービス補助用のプログラムは、予め記憶部３２にインストールされていても良いし、半導体メモリなどのようなリムーバブルな記録媒体に記録して、あるいはネットワークを介して配布されるものが記憶部３２に適宜にインストールされても良い。記憶部３２は、上記のプログラムの他に、各種の情報を記憶する。カメラ部３３は、被写体を撮影して画像データを出力する。通信処理部３４は、移動通信網５との無線通信や、移動通信網５を介したデータ通信のための処理を行う。表示部３５は、利用者に提示するべき各種の情報をＣＰＵ３１の制御の下に表示する。操作部３６は、利用者による各種の指示を入力する。この携帯通信装置３は、典型的にはインターネット通信機能を備えた携帯電話装置である。しかし、ＰＤＡ（personal digital assistant）など、インターネット通信機能を備えた様々な装置が適用され得る。
【００２１】
図２は図１に示される各装置がユーザー認証のために備える機能部と、それらの機能部の連携の様子を示したブロック図である。なお、図２において図１と同一部分には同一の符号を付し、その詳細な説明は省略する。
【００２２】
サーバ装置１においてＣＰＵ１１は、図２に示す画面作成部１１１、バーコード作成部１１２、画面出力部１１３、認証処理部１１４および認証結果管理部１１５として動作する。また記憶部１２の記憶領域の一部は、図２に示す認証情報管理データベース（認証情報管理ＤＢ）１２１および認証結果管理データベース（認証結果管理ＤＢ）１２２として使用される。
【００２３】
認証情報管理データベース１２１は、サーバ装置１が提供するサービスのそれぞれについて、そのサービスを利用する権限を持った利用者の認証情報を記憶している。認証結果管理データベース１２２は、成功した認証に係わる情報を記憶する。
【００２４】
画面作成部１１１は、端末装置２において表示させる画面を表す画面情報を作成する。この画面情報には、後述するポータルサイト画面情報やメイル表示画面情報を含む。画面作成部１１１は、端末識別情報およびサービス識別情報をバーコード作成部１１２へ出力する。バーコード作成部１１２は、画面作成部１１１から出力された端末識別情報およびサービス識別情報を受けたことに応じて、これらの情報と、認証情報管理データベース４２１に記憶された情報と、時計部１３が出力する時刻情報とを利用して後述する接続情報を生成し、この接続情報を表すバーコードを作成する。バーコード作成部１１２は、作成したバーコードを画面作成部１１１に送信する。画面作成部１１１は、バーコードをポータルサイト画面情報が表すポータルサイト画面に含める。画面作成部１１１は、メイル表示画面情報を作成するに当たり、メイル操作要求、端末識別情報、携帯通信装置識別情報および端末種別情報をデータ変換部１１６へ送る。画面出力部１１３は、画面情報を端末装置２へ出力する。
【００２５】
認証処理部１１４は、携帯通信装置３から送信される情報と、認証情報管理データベース１２１に記憶された情報と、時計部１３が出力する時刻情報とを利用してユーザー認証を行う。認証結果管理部１１５は、認証処理部１１４での認証結果を画面作成部１１１へ送る。また認証結果管理部１１５は、認証処理部１１４での認証結果に基づいて、認証結果管理データベース１２２を更新する。
【００２６】
データ変換部１１６は、画面作成部１１１からのメイル操作要求を携帯通信装置３に送る。データ変換部１１６は、メイル操作要求に応じて携帯通信装置３から送られるメイルデータを、画面作成部１１１から送られる各種情報に基づいて、携帯通信装置３から送られたメイルデータを必要に応じて変換する。データ変換部１１６は、携帯通信装置３から送られたメイルデータあるいは変換後のメイルデータをメイル操作結果として端末識別情報とともに画面作成部１１１に送る。
【００２７】
携帯通信装置３においてＣＰＵ３１は、図２に示すバーコードデコード部３１１、認証情報管理部３１２およびメイル操作部３１３として動作する。また記憶部３２の記憶領域の一部は、図２に示す認証情報記憶部３２１およびメイル記憶部３２２として使用される。
【００２８】
認証情報記憶部３２１は、サービス識別子に対応付けて認証情報を記憶する。サービス識別子は、サーバ装置１が提供するサービスを識別するための識別情報である。認証情報は、サービスの利用権限を認証するために利用者により管理される情報である。認証情報記憶部３２１は、サービス識別子および認証情報を複数組記憶することができる。認証情報記憶部３２１によって記憶されるサービス識別子および認証情報は、携帯通信装置３の使用者によって登録され、また任意に編集が可能である。メイル記憶部３２２は、携帯通信装置３が備えるメイル通信機能により送受信されるメイルデータを記憶する。
【００２９】
バーコードデコード部３１１は、バーコードを撮影するためにカメラ部３３を制御するとともに、カメラ部３３で得られた画像データからバーコードが表す情報をデコードする。認証情報管理部３１２は、バーコードデコード部３１１でデコードされた情報と、この情報に基づいて認証情報記憶部３２１から読み出した認証情報とをサーバ装置１に送信する。メイル操作部３１３は、サーバ装置１からのメイル操作要求に応じて、メイル記憶部３２２に記憶されているメイルデータをサーバ装置１へ送る。
【００３０】
次に以上のように構成されたサービス提供システムの動作について説明する。
【００３１】
このサービス提供システムでは、携帯通信装置３に保存されたメイルの一覧を端末装置２にて利用者が確認できるようにするとともに、一覧から選んだ任意のメイルの本文を端末装置２にて利用者が閲覧できるようにするサービスを提供する。
【００３２】
図３はメイル一覧を端末装置２にて表示させるまでの各装置の処理手順と各装置間での情報の伝送タイミングとを示す図である。
【００３３】
利用者が、その利用者が所有する携帯通信装置３に保存されたメイルデータを端末装置２にて閲覧しようとする場合、利用者はステップＳａ１において、端末装置２のブラウザ２１を起動するための操作をし、サーバ装置１が提供するポータルサイトのアドレスへのアクセスを要求する。端末装置２は、これに応じてステップＳｃ１においてブラウザ２１を起動する。ステップＳｃ２において端末装置２は、ポータルサイトアクセスを行う。すなわち、ブラウザ２１が、サーバ装置１が提供するポータルサイトへコンピュータネットワーク４を介してアクセスする。
【００３４】
サーバ装置１では、端末装置２からのアクセスを受けると、ステップＳｄ１において画面作成部１１１が、ポータルサイト画面の作成を開始する。そしてステップＳｄ２において画面作成部１１１は、端末装置２との接続を識別するための例えばセッションキーを生成し、それを端末装置２に関する端末識別情報としてサービス内容を示すサービス識別子とともに、バーコード作成の要求のためにバーコード作成部１１２へ送る。ただし、端末識別情報は、端末装置２を識別できる情報であれば良く、直通専用線の回線番号等を使用しても良い。また、端末識別情報は直通専用線の回線番号等のセッションキー以外の端末を識別出来る情報であってもよい。サービス識別子は、ポータルサイトのアドレスと紐付けられたものとして画面作成部１１１で管理してもよいし、複数提示した中から利用者に選ばせたものでもよい。ここでは、ポータルサイトのアドレスに紐付けられたサービス識別子が予め決められているものとする。
【００３５】
ステップＳｄ３においてバーコード作成部１１２は、バーコード作成の要求毎に固有な要求ＩＤ番号を生成する。
【００３６】
ステップＳｄ４においてバーコード作成部１１２は、２次元バーコードを作成する。すなわちバーコード作成部１１２は、画面作成部１１１から送られたサービス識別子を含んだサービス情報を認証情報管理データベース１２１から読み出す。なお、認証情報管理データベース１２１には、サービスのそれぞれに関して、図４に示すようにサービス属性情報および利用者情報が記憶されている。サービス属性情報には、例えばサービス識別子、サービス表記名、あるいは認証用サーバーアドレス（ＵＲＬ）などを含むサービス情報と、有効期間情報とが含まれる。利用者情報には、当該サービスの利用権限を持った利用者に関する認証情報が複数含まれる。認証情報の内容は任意であって良いが、典型的には図４に示すようにユーザー名とパスワードとを含む。サービス属性情報には、その他に多重認証の可否などの認証判定条件を含めても良い。続いてバーコード作成部１１２は、時計部１３が出力する時刻情報を発行時刻情報として取得する。そしてバーコード作成部１１２は、上記の端末識別情報、サービス識別子、サービス情報、発行時刻情報および要求ＩＤ番号を含んだ接続情報を生成し、この接続情報を表したバーコードを生成する。バーコードは、如何なる方式のものであっても良いが、典型的にはＱＲコード（登録商標）などの２次元バーコードである。バーコードが表す接続情報は、暗号化されてもよいし平文でもよい。バーコード作成部１１２は、作成したバーコードを画面作成部１１１に送る。
【００３７】
ステップＳｄ５においてサーバ装置１は、ポータルサイト画面の作成処理を行う。すなわち、まず画面作成部１１１が、バーコード作成部１１２により作成されたバーコードを含んだポータルサイト画面を表すポータルサイト画面情報を作成する。図５はポータルサイト画面の一例を示す図であり、図示のようにバーコードＢＣが配置されている。そして画面出力部１１３は、このポータルサイト画面情報を端末装置２へ送信する。
【００３８】
端末装置２ではステップＳｃ３において、ポータルサイト画面情報をブラウザ２１が処理することにより、ポータルサイト画面が表示部２２に表示される。
【００３９】
そこで利用者は、ステップＳａ２において携帯通信装置３のサービス用のプログラムに基づくアプリケーションを起動する操作をした上で、ステップＳａ３において、表示部２２に表示されているポータルサイト画面に含まれたバーコードをカメラ部３３により読み取らせるための操作をする。
【００４０】
さて、上記の起動操作に応じて、ステップＳｂ１において携帯通信装置３は、サービス提供用のプログラムに基づくアプリケーションを起動する。そうするとステップＳｂ２においてバーコードデコード部３１１は、読取操作に応じてカメラ部３３により撮影され画像からバーコードを読み取る。すなわちバーコードデコード部３１１は、カメラ部３３から出力される画像データからバーコードを抽出し、さらにこのバーコードをデコードして接続情報を得る。接続情報は、バーコードデコード部３１１から認証情報管理部３１２に送られる。
【００４１】
ステップＳｂ３において認証情報管理部３１２は、接続情報に含まれるサービス識別子に対応付けられた認証情報を認証情報記憶部３２１から読み出し、この認証情報の内容を反映した利用者確認画面を表示部３５に表示させる。図６は利用者確認画面の一例を示す図である。この利用者確認画面には、携帯通信装置３の認証番号用の入力ボックスおよび送信ボタンが用意されている。そして認証情報管理部３１２は、入力ボックスに入力された暗証番号を取得したのち、送信ボタンが押下されるのを待ち受ける。そして送信ボタンが押下されたならば、取得した認証番号に基づいて利用者を認証する。なお、この認証番号は携帯通信装置３に１つのみが登録されているものであって、サービスの認証のための認証情報とは無関係である。なお、ここでの利用者の認証には、カメラ部３３を用いた顔などによる生体認証を行うようにしても良い。あるいは、携帯通信装置３が指紋センサやマイクロホンなどの他の生体情報センサを備えるならば、指紋や音声などによる他の生体情報に基づく生体認証を行うことも可能である。上記の認証に成功したならば、認証情報管理部３１２はステップＳｂ３からステップＳｂ４へ進む。認証に失敗したならば、ＣＰＵ３１はステップＳｃ１１からステップＳｃ１２へ進む。ステップＳｃ１２においてＣＰＵ３１は、認証番号が正しく入力されていないことを示すエラー画面を表示部３５に表示させる。
【００４２】
ステップＳｂ４において認証情報管理部３１２は、上記の読み出した認証情報と、バーコードからデコードした接続情報と、携帯通信装置３固有の携帯装置識別子とをサーバ装置１へ送信する。なお認証情報管理部３１２は、接続情報に含まれたサーバアドレスを利用してサーバ装置１にアクセスすることができる。サーバ装置１へのアクセスは、携帯通信装置３に予め登録されたアドレスを利用して行うようにしても良い。なお、前述の生体認証を行う場合には、そのために取得した生態情報を認証情報管理部３１２がサーバ装置１に送信し、サーバ装置１にて履歴情報として使用しても良い。また、携帯通信装置３とサーバ装置１との間の通信は、必要に応じてＳＳＬ（secure sockets layer）等により暗号化し保護してもよい。また携帯装置識別子としては、携帯通信装置３の固有識別情報、携帯通信装置３に割り当てられた電話番号、あるいは携帯通信装置３に装着されたＳＩＭ（subscriber identity module）カードに記憶されたＩＤ情報などが適用できる。
【００４３】
サーバ装置１では、ステップＳｄ６において認証処理部１１４が、上記のように携帯通信装置３から送信された認証情報、接続情報および携帯装置識別子を受信する。そしてステップＳｄ７においてサーバ装置１は、利用者認証処理を行う。すなわち、まず認証処理部１１４は、接続情報の有効期限を判定する。具体的には認証処理部１１４は、接続情報に含まれるサービス識別子を含んだサービス属性情報を認証情報管理データベース１２１から検索し、このサービス属性情報に含まれる有効期間情報を読み出す。そしてこの有効期間情報が表す有効期間と、接続情報中の発行時刻情報が表す発行時刻とに基づいて、当該接続情報の有効期限を判定する。認証処理部１１４は、時計部１３が出力する時刻情報が表す現在時刻が有効期限内であるならば、認証情報が、接続情報に含まれるサービス識別子を含んだサービス属性情報と組をなす利用者情報中に含まれているか否かを検索することによって認証判定を行う。そして認証処理部１１４は、この認証判定の結果を表す結果情報を、端末識別情報および携帯装置識別子とともに認証結果管理部１１５へ送る。そうすると認証結果管理部１１５は、結果情報が認証成功を示すならば、多重認証であるか否かを確認する。具体的には認証結果管理部１１５は、接続情報に含まれる発行ＩＤ番号を認証結果管理データベース４２２から検索し、同じ発行ＩＤ番号が認証結果管理データベース４２２中の見つかった場合には多重認証であると判定する。認証結果管理部１１５は、多重認証であると判定した場合には、結果情報を認証失敗を示すように更新する。認証結果管理部１１５は、多重認証であると判定した場合には上記の更新後の結果情報を、そうでない場合には認証処理部１１４から送られた結果情報を、端末識別情報および携帯装置識別子とともに画面作成部１１１に送る。こののちに認証結果管理部１１５は、今回の認証に関する新しいデータレコードを認証結果管理データベース１２２に登録する。図７は認証結果管理データベース１２２に記憶される１つの認証に関するデータレコードの構成を示す図である。この図７から分かるように、認証結果管理データベース１２２には、成功した認証のそれぞれに関して、記録時間、発行ＩＤ番号、サービス識別子およびユーザー名を記述したデータレコードが記憶される。データレコードには、多重認証などの異常が発生した場合に原因を究明するための情報として携帯装置識別子等を含めてもよい。
【００４４】
サーバ装置１は、結果情報が認証失敗を表す場合には、その旨を利用者に報知するためのエラー画面を端末装置２に送るなどのエラー処理を画面作成部１１１および画面出力部１１３により行う。これに対して結果情報が認証成功を表す場合には、ステップＳｄ８においてサーバ装置１は、メイル一覧要求の送信処理を行う。すなわち画面作成部１１１が、メイル一覧の送信を要求することを示すメイル操作要求を、認証結果管理部１１５から送られた端末識別情報および携帯装置識別子と、端末種別情報とともにデータ変換部１１６へ送る。端末種別情報は、端末装置２から通知されるものであって、ブラウザ２１のバージョン情報などのように端末装置２での表示能力を表す情報を含む。表示能力とは、例えば画面サイズ、表示可能文字数、表示可能色数、あるいは表示可能コンテンツ種別である。このメイル操作要求、端末識別情報、携帯装置識別子および端末種別情報は、データ変換部１１６にて一時的に保持されるとともに、メイル操作要求はデータ変換部１１６から携帯通信装置３へ転送される。このときにデータ変換部１１６は、メイル一覧要求とともに送られてきた携帯装置識別子を用いて該当携帯通信装置３を識別し、その携帯通信装置３と通信を行う。
【００４５】
ステップＳｂ５においてメイル操作部３１３は、上記のメイル操作要求を受信する。ステップＳｂ６においてメイル操作部３１３は、メイル記憶部３２２に記憶されたメイルデータの一覧を取得する。ステップＳｂ７においてメイル操作部３１３は、メイル一覧をサーバ装置１へ送信する。
【００４６】
ステップＳｄ９においてサーバ装置１は、メイル一覧の受信処理を行う。すなわち、まずデータ変換部１１６は、上記のように携帯通信装置３から送信されたメイル一覧を受信する。そしてデータ変換部１１６は、保持しているメイル操作要求に含まれた端末種別情報に基づいて、受信したメイル一覧が端末装置２で表示可能であるか否かを確認し、表示不可能であるならば表示可能なようにデータ変換する。このデータ変換は、例えば文字種変換や文字コード変換である。そしてデータ変換部１１６は、受信したメイル一覧または変換後のメイル一覧を含んだメイル操作結果を、メイル操作要求とともに送られた端末識別情報とともに画面作成部１１１に送る。
【００４７】
ステップＳｄ１０においてサーバ装置１は、メイル一覧画面の作成処理を行う。すなわち、まず画面作成部１１１は、メイル操作結果として送られてきたメイル一覧を表す例えば図８に示すようなメイル一覧画面を作成し、これを表す情報をメイル表示画面情報として出力する。そして画面出力部１１３は、メイル操作結果とともに送られた端末識別情報を用いて識別される端末装置２へとメイル表示画面情報を送信する。
【００４８】
ステップＳｃ４において端末装置２は、メイル一覧画面の表示処理を行う。すなわち、ブラウザ２１が、上記のようにサーバ装置１から送られたメイル表示画面情報に基づいて、メイル一覧画面を表示部２２に表示させる。これにより利用者は、携帯通信装置３に保存されている保存されているメイルの一覧を端末装置２にて確認することができる。
【００４９】
図９はメイル一覧に基づいて利用者が選択したメイルの本文を端末装置２にて表示させるまでの各装置の処理手順と各装置間での情報の伝送タイミングとを示す図である。
【００５０】
表示部２２に表示されたメイル一覧画面によりメイルの一覧を確認した利用者は、本文を閲覧したいメイルを選択し、そのメイルの本文表示を要求する操作をステップＳｅ１にて行う。この操作に応じて、ステップＳｇ１においてブラウザ２１が、メイル本文表示要求をサーバ装置１に送信する。
【００５１】
ステップＳｈ１において画面作成部１１１は、上記のメイル本文表示要求を受信する。ステップＳｈ２において画面作成部１１１は、メイル本文表示要求を送信した端末装置２の端末識別情報に基づいて携帯装置識別子を取得する。すなわち、画面作成部１１１は、認証結果管理部１１５から結果情報とともに送られた端末識別情報と携帯装置識別子とを互いに関連付けて管理しておき、ここではメイル本文表示要求を送信した端末装置２の端末識別情報に関連付けた携帯装置識別子を取得する。そしてステップＳｈ３においてサーバ装置１は、メイル本文要求の送信処理を行う。すなわち、まず画面作成部１１１が、特定のメイルの本文の送信を要求することを示すメイル操作要求を、メイル本文表示要求を送信した端末装置２の端末識別情報および端末種別情報と、ステップＳｈ２で取得した携帯装置識別子とともにデータ変換部１１６へ送る。このメイル操作要求、端末識別情報、携帯装置識別子および端末種別情報は、データ変換部１１６にて一時的に保持されるとともに、メイル操作要求はデータ変換部１１６から携帯通信装置３へ転送される。このときにデータ変換部１１６は、メイル操作要求とともに送られてきた携帯装置識別子を用いて該当携帯通信装置３を識別し、その携帯通信装置３と通信を行う。
【００５２】
ステップＳｆ１においてメイル操作部３１３は、上記のメイル操作要求を受信する。ステップＳｆ２においてメイル操作部３１３は、メイル操作要求に示されたメイルの本文に関するメイルデータをメイル記憶部３２２から取得する。ステップＳｆ３においてメイル操作部３１３は、上記の取得したメイルデータをサーバ装置１へ送信する。
【００５３】
ステップＳｈ４においてサーバ装置１は、メイル本文の受信処理を行う。すなわち、まずデータ変換部１１６は、上記のように携帯通信装置３から送信されたメイルデータを受信する。そしてデータ変換部１１６は、保持しているメイル操作要求に含まれた端末種別情報に基づいて、受信したメイルデータが端末装置２で表示可能であるか否かを確認し、表示不可能であるならば表示可能なようにデータ変換する。このデータ変換は、例えば文字種変換や文字コード変換である。そしてデータ変換部１１６は、受信したメイルデータまたは変換後のメイルデータを含んだメイル操作結果を、メイル操作要求とともに送られた端末識別情報とともに画面作成部１１１に送る。
【００５４】
ステップＳｈ５においてサーバ装置１は、メイル本文画面の作成処理を行う。すなわち、まず画面作成部１１１は、メイル操作結果として送られてきたメイルデータが表すメイルの本文を表すメイル本文画面を作成し、これを表す情報をメイル表示画面情報として出力する。そして画面出力部１１３が、メイル操作結果とともに送られた端末識別情報を用いて識別される端末装置２へとメイル表示画面情報を送信する。
【００５５】
ステップＳｇ２において端末装置２は、メイル本文画面の表示処理を行う。すなわち、ブラウザ２１が、上記のようにサーバ装置１から送られたメイル表示画面情報に基づいて、メイル本文画面を表示部２２に表示させる。
【００５６】
かくして第１の実施形態によれば、利用者は、携帯通信装置３に保存されている保存されているメイルの内容を端末装置２にて閲覧することができる。端末装置２はコンピュータネットワーク４を介して、また携帯通信装置３はコンピュータネットワーク４および移動通信網５を介してサーバ装置１と通信できれば良く、端末装置２と携帯通信装置３とをケーブルなどにより接続する必要が無いから、ケーブルなどのツールも接続作業も不要である。
【００５７】
また第１の実施形態によれば、端末装置２で表示されたバーコードを携帯通信装置３で撮影すれば、端末装置２と携帯通信装置３との関連付けを行うことができる。また、携帯通信装置３により端末装置２で表示されたバーコードを撮影できなければ、この携帯通信装置３に保存されたメイルデータを端末装置２で閲覧することはできないから、携帯通信装置３の所持者と異なる第３者が無断でメイルデータを閲覧することはできない。
【００５８】
さらに、端末装置２はブラウジング機能を有していれば良いから、パーソナルコンピュータのみならず、インターネット対応デジタルテレビ装置などの多様な装置を利用できる。
【００５９】
また第１の実施形態によれば、携帯通信装置３への接続情報の入力をバーコードによって行っているため、端末装置２はバーコードを表示できる表示部２２を持っていれば良い。携帯通信装置３についても、カメラ機能を持った携帯電話装置などを利用することができる。このように、カードリーダや近接無線装置といった専用デバイスを必要とせず、簡易な構成によりシステムを実現することができる。
【００６０】
（第２の実施形態）
図１０は第２の実施形態に係るユーザー認証システムが適用されたサービス提供システムの概略構成を示すブロック図である。なお、図１と同一部分には同一符号を付し、その詳細な説明は省略する。
【００６１】
この第２の実施形態に係るサービス提供システムは、複数の端末装置２、サーバ装置６および複数の携帯通信装置７を含む。これら端末装置２、サーバ装置６および携帯通信装置７は、第１の実施形態におけるサーバ装置１、端末装置２および携帯通信装置３と同様にコンピュータネットワーク４および移動通信網５を介して適宜に通信できる。サーバ装置６はさらに、任意の通信網や専用通信回線などを介してビデオ会議システム８と通信できる。ビデオ会議システム８は、ビデオ会議端末９やサーバ装置６と、ビデオ会議データを通信する。なお図１０では、コンピュータネットワーク４および移動通信網５は図示を省略している。
【００６２】
サーバ装置６は、図１に示したサーバ装置１の構成と同様な構成を備える。携帯通信装置７は、図１に示した携帯通信装置３の構成と同様な構成を備える。
【００６３】
図１１は図１０に示される各装置がユーザー認証のために備える機能部と、それらの機能部の連携の様子を示したブロック図である。なお、図１１において図２と同一部分には同一の符号を付し、その詳細な説明は省略する。
【００６４】
サーバ装置６におけるＣＰＵは、図１１に示すバーコード作成部１１２、画面出力部１１３、認証処理部１１４、認証結果管理部１１５、画面作成部６１１およびデータ変換部６１２として動作する。またサーバ装置６における記憶部の記憶領域の一部は、図１１に示す認証情報管理データベース（認証情報管理ＤＢ）１２１および認証結果管理データベース（認証結果管理ＤＢ）１２２として使用される。すなわちサーバ装置６は、サーバ装置１における画面作成部１１１およびデータ変換部１１６に代えて、画面作成部６１１およびデータ変換部６１２を備える。
【００６５】
画面作成部６１１は、端末装置２において表示させる画面を表す画面情報を作成する。この画面情報には、後述するポータルサイト画面情報やビデオ会議画面情報を含む。画面作成部６１１は、端末識別情報およびサービス識別情報をバーコード作成部１１２へ出力する。画面作成部６１１は、バーコード作成部１１２によって作成されるバーコードをポータルサイト画面情報が表すポータルサイト画面に含める。画面作成部６１１は、データ変換部６１２から送られるビデオ会議データに基づいてビデオ会議画面を作成する。
【００６６】
データ変換部６１２は、携帯通信装置７から送られる映像データをビデオ会議システム８に準拠した形式の伝送データに変換するとともに、ある利用者に関するものとしてビデオ会議システム８に送信する。データ変換部６１２は、ビデオ会議システム８から送られるある利用者宛のビデオ会議データを、当該利用者が利用する端末装置２に適する形式に必要に応じて変換するとともに、無変換のビデオ会議データまたは変換後のビデオ会議データを画面作成部６１１に送る。
【００６７】
携帯通信装置７におけるＣＰＵは、図１１に示すバーコードデコード部３１１、認証情報管理部３１２およびカメラ操作部７１１として動作する。また携帯通信装置７における記憶部の記憶領域の一部は、図１１に示す認証情報記憶部３２１として使用される。すなわち携帯通信装置７は、携帯通信装置３におけるメイル操作部３１３に代えてカメラ操作部７１１を備える。
【００６８】
カメラ操作部７１１は、サーバ装置１から送信されるカメラ操作要求に応じてカメラ部３３を操作する。
【００６９】
次に以上のように構成されたサービス提供システムの動作について説明する。
【００７０】
利用者の認証や、端末装置２と携帯通信装置７との関連付けについては、第１の実施形態と同様にして行われる。そしてサーバ装置６は、端末装置２に関連付けられた携帯通信装置７から出力された映像データは、その関連付けられた端末装置２の利用者に関するものとしてデータ変換部６１２がビデオ会議システム８に送信する。なお携帯通信装置７は、カメラ部３３が出力する画像データをカメラ操作部７１１がサーバ装置６へ送信する。端末装置２にて利用者がカメラ部３３の操作を要求する操作を行った場合には、その要求を表すビデオ会議処理命令が、その要求を送信した端末装置２に関する端末識別情報およびこの端末装置２に関連付けられた携帯通信装置７に関する携帯装置識別子とともに、画面作成部６１１からデータ変換部６１２に送られる。データ変換部６１２は、ビデオ会議処理命令がカメラ操作に関する要求を表すならば、携帯通信装置７へカメラ操作要求を送信する。このカメラ操作要求に応じてカメラ操作部７１１は、カメラ部３３を操作する。
【００７１】
ビデオ会議システム８からある利用者に関するビデオ会議データが送られてきたならば、このビデオ会議データがデータ変換部６１２で受信される。データ変換部６１２は、このビデオ会議データを、このビデオ会議データが対応する利用者が利用している端末装置２に関する端末識別情報とともに画面作成部６１１に送る。画面作成部６１１は、ビデオ会議データに応じて、例えば図１２に示すようなビデオ会議画面を作成し、このビデオ会議画面を表すビデオ会議画面データを端末識別情報とともに画面出力部１１３に送る。画面出力部１１３は、端末識別情報で識別される端末装置２と通信し、ビデオ会議画面データを送信する。
【００７２】
なお、説明の簡略化のために省略したが、音声データについても映像データと同様に処理される。
【００７３】
かくして第２の実施形態によれば、利用者は、携帯通信装置７を映像や音声の入力ツールとして、かつ端末装置２を映像や音声の出力ツールとしてそれぞれ使用してテレビ会議を行うことが可能となる。従って、テレビ会議用の専用端末を用意する必要が無い。
【００７４】
なお、携帯通信装置７が内蔵する表示器を利用してテレビ会議を行うことが可能なサービスは既に実現されている。しかしながら、図１２に示すような多数の相手に関する映像を並べたビデオ会議画面を携帯通信装置７に内蔵される小さな表示器に表示すると、非常に見づらくなってしまう。これに対して第２の実施形態によれば、端末装置２の大きな画面を持った表示部２２を利用できるので、図１２に示すようなビデオ会議画面を見やすく表示することができる。なお、端末装置２はブラウジング機能を有していれば良いから、パーソナルコンピュータのみならず、インターネット対応デジタルテレビ装置などの多様な装置を利用できる。
【００７５】
また第２の実施形態によれば、端末装置２で表示されたバーコードを携帯通信装置３で撮影すれば、端末装置２と携帯通信装置３との関連付けを行うことができる。
【００７６】
また第２の実施形態によれば、携帯通信装置７への接続情報の入力をバーコードによって行っているため、端末装置２はバーコードを表示できる表示部２２を持っていれば良い。携帯通信装置７についても、カメラ機能を持った携帯電話装置などを利用することができる。このように、カードリーダや近接無線装置といった専用デバイスを必要とせず、簡易な構成によりシステムを実現することができる。
【００７７】
なお、第２の実施形態におけるデータ変換部６１２は、ビデオ会議システム８との一対一の入出力を行うものであり、特許文献１のように複数コンピュータ向け配信を行うものではない。更に、特許文献１の実施例ではＳＩＰ（session initiation protocol）対応のＩＰ電話およびＰＣクライアントに搭載したプログラムを前提に中継器となるＰＣクライアントとの相互通信の方法を示しており、ＳＩＰ非対応の携帯通信装置には適用が困難であるが、第２の実施形態によれば、ＳＩＰ非対応の携帯通信装置を利用したサービス提供が可能である。
【００７８】
この実施形態は、次のような種々の変形実施が可能である。
【００７９】
サーバ装置１，６が提供するようなサービスには限らず、関連付けられる端末装置と携帯通信装置とを利用したサービスであれば、如何なるサービスの提供にも本発明の適用が可能である。
【００８０】
接続情報は、赤外線通信やBluetooth（登録商標）などのような汎用のワイヤレス通信インタフェースを介して端末装置２から携帯通信装置３が読み取るようにしても良い。
【００８１】
バーコードは、サーバ装置１が作成しても良い。
【００８２】
接続情報には、発行時刻情報に代えて有効期限情報を含めるようにし、サーバ装置１，６では、この有効期限情報が表す有効期限内であるか否かを確認することとしても良い。
【００８３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００８４】
【図１】本発明の第１の実施形態に係るユーザー認証システムが適用されたサービス提供システムの概略構成を示すブロック図。
【図２】図１に示される各装置がユーザー認証のために備える機能部と、それらの機能部の連携の様子を示したブロック図。
【図３】メイル一覧を図２中の端末装置２にて表示させるまでの各装置の処理手順と各装置間での情報の伝送タイミングとを示す図。
【図４】図２中の認証情報管理データベース１２１に記憶されるサービス属性情報および利用者情報の構成を示す図。
【図５】ポータルサイト画面の一例を示す図。
【図６】利用者確認画面の一例を示す図。
【図７】図２中の認証結果管理データベース１２２に記憶される１つの認証に関するデータレコードの構成を示す図。
【図８】メイル一覧画面の一例を示す図。
【図９】メイル一覧に基づいて利用者が選択したメイルの本文を図２中の端末装置２にて表示させるまでの各装置の処理手順と各装置間での情報の伝送タイミングとを示す図。
【図１０】本発明の第２の実施形態に係るユーザー認証システムが適用されたサービス提供システムの概略構成を示すブロック図。
【図１１】図１０に示される各装置がユーザー認証のために備える機能部と、それらの機能部の連携の様子を示したブロック図。
【図１２】ビデオ会議画面の一例を示す図。
【符号の説明】
【００８５】
１，６…サーバ装置、２…端末装置、３，７…携帯通信装置、４…コンピュータネットワーク、５…移動通信網、８…ビデオ会議システム、９…ビデオ会議端末、１１，３１…ＣＰＵ、１２，３２…記憶部、１４，３４…通信処理部、２１…ブラウザ、２２…表示部、３３…カメラ部、３５…表示部、３６…操作部、１１１…画面作成部、１１２…バーコード作成部、１１３…画面出力部、１１４…認証処理部、１１５…認証結果管理部、１１６…データ変換部、１２１…認証情報管理データベース、１２２…認証結果管理データベース、３１１…バーコードデコード部、３１２…認証情報管理部、３１３…メイル操作部、３２１…認証情報記憶部、３２２…メイル記憶部、４２１…認証情報管理データベース、４２２…認証結果管理データベース、６１１…画面作成部、６１２…データ変換部、７１１…カメラ操作部。
【図１】
0004559988.tif 000002
【図２】
0004559988.tif 000003
【図３】
0004559988.tif 000004
【図４】
0004559988.tif 000005
【図５】
0004559988.tif 000006
【図６】
0004559988.tif 000007
【図７】
0004559988.tif 000008
【図８】
0004559988.tif 000009
【図９】
0004559988.tif 000010
【図１０】
0004559988.tif 000011
【図１１】
0004559988.tif 000012
【図１２】
0004559988.tif 000013